(57)【特許請求の範囲】
【請求項１】
制御基板と、当該制御基板を収容する基板ケースとを備える遊技機において、
前記基板ケースの外部から視認可能であって、情報の読み取りに際して読取機が用いられる第１種コードと第２種コードとを有し、
前記第１種コードは、背景の色の明度よりも前景の色の明度の方が低く作成されたものであり、
前記第２種コードは、背景の色の明度よりも前景の色の明度の方が高く作成されたものであり、
第１情報を基に作成された前記第１種コードは、所定のデコード処理を行うことにより、当該第１情報の認識が可能になっており、
第２情報を基に作成された前記第２種コードは、前記所定のデコード処理を行っても当該第２情報の認識が可能にならず、前記所定のデコード処理と特定のデコード処理とを行うことにより、当該第２情報の認識が可能になる
ことを特徴とする遊技機。
【請求項２】
前記第１種コードの数は、前記第２種コードの数よりも多いことを特徴とする請求項１に記載の遊技機。
【発明の詳細な説明】
【技術分野】
【０００１】
本発明は、制御基板と、当該制御基板を収容する基板ケースとを備えるセキュリティ対策の必要な遊技機に関する。
【背景技術】
【０００２】
従来、パチンコ機やスロットマシン等の遊技機では、遊技機の動作を制御するための例えばＣＰＵ、ＲＡＭ、ＲＯＭの各種部品が実装された制御基板（メイン制御基板やサブ制御基板）が、合成樹脂性の基板ケースの内部に収容されている。
【０００３】
ところが、基板ケースをこじあけて基板を不正なものと取り替えて、予め定められている以上の確率で賞球やメダルの払い出しを受ける不正行為が行われる虞がある。このような不正行為に対抗するために、例えば、特許文献１に記載の遊技機では、制御基板に正規の制御基板か否かを識別する固有のＱＲコード（登録商標）を設けるようにしている。
【先行技術文献】
【特許文献】
【０００４】
【特許文献１】特開２０１９−１３３１７号公報（段落００８０〜００８９等参照）
【発明の概要】
【発明が解決しようとする課題】
【０００５】
しかしながら、特許文献１の開示内容は、正規の作業者が読取機を用いて制御基板に設けられたＱＲコード（登録商標）の読み取りを誤認識なく行うことを可能にするものであり、不正行為者によるＱＲコード（登録商標）の不正な読み取りを防止するものではない。
【０００６】
ところで、制御基板を収容する基板ケースの外部から視認可能であるＱＲコード（登録商標）が複数存在する場合があり、このような場合には、不正行為者が一部のＱＲコード（登録商標）からでも情報を不正取得しにくくすることは、不正対策として有効であると思われる。
【０００７】
本発明は、上記課題に鑑みてなされたものであり、制御基板を収容する基板ケースの外部から視認可能であるコードが複数存在する場合に、不正行為者が一部のコードから情報の不正取得を困難にして当該一部のコードに関するセキュリティの向上が図られた遊技機を提供することを目的とする。
【課題を解決するための手段】
【０００８】
上記目的を達成するために、本発明にかかる遊技機は、制御基板と、当該制御基板を収容する基板ケースとを備える遊技機において、前記基板ケースの外部から視認可能であって、情報の読み取りに際して読取機が用いられる第１種コードと第２種コードとを有し、前記第１種コードは、背景の色の明度よりも前景の色の明度の方が低く作成されたものであり、前記第２種コードは、背景の色の明度よりも前景の色の明度の方が高く作成されたものであり、第１情報を基に作成された前記第１種コードは、所定のデコード処理を行うことにより、当該第１情報の認識が可能になっており、第２情報を基に作成された前記第２種コードは、前記所定のデコード処理を行っても当該第２情報の認識が可能にならず、前記所定のデコード処理と特定のデコード処理とを行うことにより、当該第２情報の認識が可能になることを特徴としている。
【０００９】
ここで、背景の色の明度よりも前景の色の明度の方が低く作成されたコードは、背景の色の明度よりも前景の色の明度の方が高く作成されたコードよりも一般に使用されており、背景の色の明度よりも前景の色の明度の方が低く作成されたコードに対して所定のデコード処理を行って情報の読み取りが可能な読取機が普及している。
【００１０】
この構成によれば、第２種コードは、背景の色の明度よりも前景の色の明度の方が高く作成されたものであり、一般的に広く普及している背景の色の明度よりも前景の色の明度の方が低く作成された第１種コードとは前景と背景との色の明度の関係が逆転しているため、背景の色の明度よりも前景の色の明度の方が低く作成された第１種コード用に設計された読取機又は読取機に実装された第１種コード用に構築されたソフトウェアでは、そもそも、背景の色の明度よりも前景の色の明度の方が高く作成された第２種コードに対して正常に所定のデコード処理を行うことができない。また、第２種コードでは、第２情報を認識可能に取得するには所定のデコード処理だけでは足りず所定のデコード処理及び特定のデコード処理を必要とするため、仮に第２種コードを正常に第１デコード処理できたとしても特定のデコード処理が行われる前の第２情報を認識できない不可解な情報しか得られず、また、特定のデコード処理が必要であることを知っていない不正行為者に第２情報を認識できない不可解な情報を見た段階でそれ以上の不正取得の試みを断念させることが可能となる。この結果、第２種コードに関するセキュリティの向上を図ることができる。
【００１１】
また、第１種コードと第２種コードとの双方があって、第２種コードよりも一般に使用される第１種コード用に設計された読取機又は第１種コード用に構築されたソフトウェアが実装された読取機が広く普及しているため、第１種コード用に設計された読取機又は第１種コード用に構築されたソフトウェアを用意するように不正行為者を誘導でき、第２種コードに関するセキュリティの向上を図ることができる。
【００１２】
また、前記第１種コードの数は、前記第２種コードの数よりも多いとしてもよい。
【００１３】
この構成によれば、第１種コードの数が第２種コードの数よりも多いため、不正行為者が第１種コード用に設計された読取機又は第１種コード用に構築されたソフトウェアが実装された読取機を用意するように不正行為者をより誘導でき、これにより、第２種コードに関するセキュリティの更なる向上を図ることができる。
【図面の簡単な説明】
【００１４】
【図１】本発明の第１実施形態にかかるスロットマシンの斜視図である。
【図２】図１のスロットマシンの前面扉が開いた状態での斜視図である。
【図３】スロットマシンの電気的構成を示すブロック図である。
【図４】メイン制御基板及び基板ケースの分解斜視図である。
【図５】支持板に取り付けた状態のメイン制御基板を収容した基板ケースの正面図である。
【図６】かしめ記録紙の一例を説明するための説明図である。
【図７】封印シールの一例を説明するための説明図である。
【図８】型式シールの一例を説明するための説明図である。
【図９】第２実施形態のメイン制御基板及び基板ケースの分解斜視図である。
【図１０】支持板に取り付けた状態のメイン制御基板を収容した基板ケースの正面図である。
【図１１】図１０の一点鎖線Ｂで囲む領域のメイン制御基板の実装面の概略を示す図である。
【図１２】図１０のＡ−Ａ矢視断面の概略を示す図である。
【図１３】メイン制御基板を収容した基板ケースをスロットマシンに取り付けた状態でのハーネスの位置を説明するための説明図である。
【図１４】メイン制御基板の裏面で無配線領域を形成しない領域を説明するための説明図である。
【発明を実施するための形態】
【００１５】
＜第１実施形態＞
本発明の第１実施形態に係る遊技機の一例であるスロットマシン１について、図１〜図８を参照して説明する。
【００１６】
（構成）
スロットマシン１の構成の概略について図１、図２を参照して説明する。
【００１７】
この実施形態におけるスロットマシン１は、予め設定された複数の遊技状態のうちのいずれかの遊技状態において、メダルなどの遊技媒体が規定数投入されることを条件とする遊技者の操作に基づいて一回の遊技が実行されるものであって、例えば図１に示すように構成されている。すなわち、このスロットマシン１では、筐体３の前面が前面扉５により開閉自在に閉塞され、この前面扉５のほぼ中央高さの位置に操作板７が配設されると共に、この操作板７の上方に正面板９が配設されている。
【００１８】
そして、この正面板９には横長矩形の表示窓１１が設けられている。また、表示窓１１の内側には、図１、図２に示すように、複数種類の図柄を予め定められた順序で可変表示する左・中・右リール１３Ｌ，１３Ｍ，１３Ｒが配置されている。これら左・中・右リール１３Ｌ，１３Ｍ，１３Ｒには、複数種類の図柄が合計２１個、所定の配列でそれぞれ設けられている。また、各図柄には、０番から２０番までのコマ番号が順に付されている。そして、例えば、コマ番号０番から２０番までの図柄が印刷されたリールテープがリールの周面に貼り付けられて各リール１３Ｌ，１３Ｍ，１３Ｒがそれぞれ形成される。また、各リール１３Ｌ，１３Ｍ，１３Ｒが回転すると、コマ番号２０番、１９番、…、０番、２０番、…の予め定められた順に複数の図柄がそれぞれ表示窓１１に変動表示される。表示窓１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示窓１１に停止表示されるようになっている。なお、例えば、上段ライン、中段ライン、下段ライン、右上がりライン、右下がりラインの５ラインが入賞ラインとして設定されている。
【００１９】
また、各リール１３Ｌ，１３Ｍ，１３Ｒをそれぞれ独立して回転駆動できるように、各リール１３Ｌ，１３Ｍ，１３Ｒには、それぞれステッピングモータにより構成される図３に示すリールモータ１４Ｌ，１４Ｍ，１４Ｒが連結されている。
【００２０】
更に、操作板７には、内部に貯留されているクレジットメダルから１枚ずつのメダル投入を指示するためのベットスイッチ１５、クレジットメダルから１ゲーム（遊技）あたりの最大投入枚数（３枚に設定されている）のメダル投入を指示するための最大ベットスイッチ１７、各リール１３Ｌ，１３Ｍ，１３Ｒを回転させて各図柄の可変表示を開始させるレバー状のスタートスイッチ１９、左・中・右リール１３Ｌ，１３Ｍ，１３Ｒの回転をそれぞれ停止させて各図柄の可変表示を停止させる左・中・右ストップスイッチ２１Ｌ，２１Ｍ，２１Ｒ、クレジットメダルを払い出すための精算スイッチ２３、およびメダル投入口２５が設けられている。また、各リール１３Ｌ，１３Ｍ，１３Ｒにより複数種類の図柄を可変表示する複数の可変表示列が形成されており、各ストップスイッチ２１Ｌ，２１Ｍ，２１Ｒは、各リール１３Ｌ，１３Ｍ，１３Ｒそれぞれに対応して設けられている。
【００２１】
また、正面板９の上方のほぼ中央には、動画などを表示して遊技者に当選や入賞などを告知したり、各ストップスイッチ２１Ｌ，２１Ｍ，２１Ｒの操作態様を報知したりする演出を行うための液晶表示器２７が設けられている。また、液晶表示器２７のすぐ上方には、各種の入賞図柄が表示された説明パネル２９が設けられ、液晶表示器２７および説明パネル２９の左右には、音楽や音声などによる演出を行うためのスピーカ３１Ｌ，３１Ｒがそれぞれ設けられている。なお、図２に示すように、後述するメダル払出口３９の左右にもスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００２２】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダル払出口３９や、このメダル払出口３９から払い出されるメダルを受けるメダル受け４１が設けられている。また、正面板９の右下隅には、３つのリールに対する入賞ラインの位置を示す図形（図示省略）が描かれ、正面板９の左下隅にはクレジットメダルの貯留枚数を表示するクレジット表示器４５が配設されている。このクレジット表示器４５は、例えば２個の７セグメントＬＥＤで構成され、２桁の貯留枚数（最大で５０枚）が表示可能になっている。
【００２３】
また、図２に示すように、各リール１３Ｌ，１３Ｍ，１３Ｒを支持する支持枠体１３が、筐体３内の後壁に固定されている。筐体３内の支持枠体１３の下方には、図２に示すように、メダルをメダル払出口３９に排出するためのホッパーユニット４３が配設されている。また、メダル投入口２５付近の裏面側には、図２に示すように、メダル投入口２５に投入されたメダルが正規のものか否かを選別して正規のメダルのみをホッパーユニット４３に導くメダルセレクタ４８が配設されている。なお、筐体３内部には、メダル通路が設けられており、メダルセレクタ４８において非正規のメダルとして排除されたメダルや、ホッパーユニット４３から払い出されたメダルが、このメダル通路を通過してメダル払出口３９から払い出される。また、ホッパーユニット４３の左側には、図２に示すように、操作ボックス４９が筐体３内の左側壁に固定されている。この操作ボックス４９には、電源のオンオフを切り替える電源スイッチ５０（図３参照）が設けられるとともに、オンとオフとが切り替えられる設定変更開始処理用のキーシリンダからなる変更処理開始スイッチ５６（図３参照）、設定変更時の設定値の切り替えを行うのに用いられるリセットスイッチ５２（図３参照）が設けられている。ただし、変更処理開始スイッチ５６がオンの状態で電源スイッチ５０がオンにされると、リセットスイッチ５２を用いた設定変更処理が開始される。
【００２４】
続いて、スロットマシン１の電気的な構成について図３を参照して説明する。図３はスロットマシンの電気的構成を示すブロック図である。
【００２５】
図３において、投入センサ５３は、筐体３内部のメダル投入口２５近傍であってメダルセレクタ４８部分に設けられ、メダル投入口２５に投入されたメダルを１枚ずつ検出するものである。払出センサ５４は、ホッパーユニット４３の出口に設けられ、メダル払出口３９に払い出されるメダルを１枚ずつ検出するものである。
【００２６】
左・中・右位置センサ５５Ｌ，５５Ｍ，５５Ｒは、左・中・右リール１３Ｌ，１３Ｍ，１３Ｒの回転位置をそれぞれ検出するためのものであり、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると、一周ごとに突起部を検出してその検出信号をメイン制御基板６３に出力する。この実施形態では、例えば左・中・右位置センサ５５Ｌ，５５Ｍ，５５Ｒが上記突起部を検出したときに、それぞれコマ番号２０番の図柄が表示窓１１の中段に位置するように構成されている。
【００２７】
ホッパーモータ５７はホッパーユニット４３に配設され、その駆動によりメダルをメダル払出口３９に向けて払い出すものである。
【００２８】
また、このスロットマシン１では、遊技の進行に関する制御を行うメインＣＰＵ６１が実装されたメイン制御基板６３と、メイン制御基板６３に実装されたメインＣＰＵ６１から送信された情報に基づき所定の演出（例えば、遊技の進行に合わせた演出）に関する制御を行うサブＣＰＵ７１が実装されたサブ制御基板７３とが別々に設けられており、メイン制御基板６３からサブ制御基板７３に対して各種の遊技情報が一方向で送信される。メイン制御基板６３、サブ制御基板７３それぞれは、外部から不正にアクセスすることが困難なように、基板ケース８０、９０内に収容された上、基板ケース８０、９０が痕跡を残さずに開放することが困難なように厳重に封印されている。また、これらの基板ケース８０、９０には、不正に開放されたことを視認することができるように、種々の対策が講じられている。メイン制御基板６３を収容した基板ケース８０は図２に示すように筐体３内の後側壁に支持枠体１３より高い位置に設置されており、サブ制御基板７３を収容した基板ケース９０は図２に示すように筐体３内の左側壁にメイン制御基板６３を収容した基板ケースと略同じ高さの位置に設置されている。
【００２９】
メイン制御基板６３を収容した基板ケース８０は、光透過性を有し、図４に示すように、カバー部材８０ａとベース部材８０ｂとで構成され、両者が嵌め合わされた状態で形成される収容空間に、平板状をしたメイン制御基板６３がその実装面６３ａがカバー部材８０ａに対向し、実装面６３ａと反対側の面がベース部材８０ｂと対向するように収容される。メイン制御基板６３は実装面６３ａが矩形状に形成されるとともに、四隅それぞれにねじ３０の挿通孔６４が設けられ、カバー部材８０ａにメイン制御基板６３がねじ３０で固定される。カバー部材８０ａとベース部材８０ｂは、いずれも、主に、透明樹脂（例えば、透明なＡＢＳ樹脂（アクリロニトリル（Ａｃｒｙｌｏｎｉｔｒｉｌｅ）、ブタジエン（Ｂｕｔａｄｉｅｎｅ）、スチレン（Ｓｔｙｒｅｎｅ）等の成分からなる熱可塑性樹脂や透明なポリカーボネート）で形成されており、両者を分離せずともメイン制御基板６３を外部から視認可能になっている。
【００３０】
メイン制御基板６３の実装面６３ａには、メインＣＰＵ６１、モニタＬＥＤ６９、アルミニウムコンデンサ６６ａ、レギュレータ６６ｂ、コネクタ６８などを含む複数の部品が実装される。モニタＬＥＤ６９は、メイン制御基板６３上に配置され、スロットマシン１の各種のセンサに接続されることで、スロットマシン１の各種センサが有効に機能しているか否かを点灯状態（対応するセンサが例えばメダルや操作を検出した状態で点灯、検出していない状態で消灯）により表示するためのものである。
【００３１】
メイン制御基板６３は、本実施の形態では、地色（すなわち、ソルダレジストの色）を緑色で着色している。
【００３２】
また、メイン制御基板６３の実装面６３ａには、図示しないが、英数字などからなる文字列が印刷等によって付与される。ここで、メイン制御基板６３の実装面６３ａに付与される文字には、モニタＬＥＤ６９が対応するセンサを示す数字などや、メイン制御基板６３の種類や型番を識別可能な基板ＩＤなどが含まれる。
【００３３】
図４に示すように、基板ケース８０のカバー部材８０ａは、メイン制御基板６３の実装面６３ａと略平行となるように当該実装面６３ａと対向する前方板８０ａ１と、前方板８０ａ１に対して略９０°に延在する右内側板８０ａ２、右外側板８０ａ３、左内側板（不図示）、左外側板（不図示）と、左内側板（不図示）及び左外側板（不図示）の左側にｙ軸の正方向側（奥側）に凹んだ嵌合部８０ａ４と、前方板８０ａ１の下側にｙ軸の正方向側（奥側）に凹んだ凹部８０ａ５とを有する。凹部８０ａ５には、カバー部材８０ａとベース部材８０ｂとが嵌め合わされた状態で形成される収容空間にメイン制御基板６３を収容した状態で、メイン制御基板６３に実装されたコネクタ６８が挿通する挿通孔８０ａ５ａが形成されている。
【００３４】
図４に示すように、基板ケース８０のベース部材８０ｂは、メイン制御基板６３の実装面６３ａと反対側の面に対向するとともに、基板ケース８０が筐体３の後側壁に取り付けられた支持板８１（図５参照）に保持された状態で当該支持板８１に当接する後方板８０ｂ１と、後方板８０ｂ１に対してそれぞれ略９０°に延在する右側板８０ｂ２、中間板８０ｂ３、左側板８０ｂ４、下側板８０ｂ５、ベース左外側板８０ｂ８と、左側板８０ｂ４の左側に被嵌合部８０ｂ９とを有する。
【００３５】
下側板８０ｂ５の後方板８０ｂ１側に窪んだ部分の前方端には、複数のカバー係止片８０ｂ６が形成される。各カバー係止片８０ｂ６は、いずれも前端部が下側板８０ｂ５に対して略９０°に屈曲し、フック状に形成される。ベース部材８０ｂにカバー部材８０ａを装着した状態において、当該屈曲した部分はカバー部材８０ａの凹部８０ａ５の底面の前方に配置されるようになっており、カバー部材８０ａの前方への移動が規制される。これにより、カバー部材８０ａがベース部材８０ｂから前方側に離れるという、カバー部材８０ａの浮き上がりを防止している。
【００３６】
被嵌合部８０ｂ９は、第１被嵌合形成部８０ｂ９ａと、当該第１被嵌合形成部８０ｂ９ａに対してｙ軸の正方向側（奥側）に凹んだ第２被嵌合形成部８０ｂ９ｂとを有する。カバー部材８０ａとベース部材８０ｂとが組み合わされた場合、カバー部材８０ａの嵌合部８０ａ４がベース部材８０ｂの被嵌合部８０ｂ９の凹みに嵌め合わされた状態となる。この状態では、嵌合部８０ａ４と、被嵌合部８０ｂ９の第１被嵌合形成部８０ｂ９ａとの境界部に凹凸ができる。後述する封印シール５５０は、その一部が嵌合部８０ａ４と被嵌合部８０ｂ９の第１被嵌合形成部８０ｂ９ａとの凹凸のある境界部に位置するように、嵌合部８０ａ４の封印シール添付面８０ａ４ａと第１被嵌合形成部８０ｂ９ａの封印シール添付面８０ｂ９ａ１とに貼り付けられ、当該封印シール５５０を剥がさなければカバー部材８０ａとベース部材８０ｂとを分離できないようになっている。
【００３７】
なお、基板ケース８０を支持板８１に保持する機構、基板ケース８０を当該支持板８１に対して回動するための機構、各種かしめ機構等を備えているが、これらの機構の詳細は省略する。
【００３８】
また、メイン制御基板６３（本発明の「制御基板」に相当）を収容する基板ケース８０（本発明の「基板ケース」に相当）には、読取機を用いることにより情報の読み取りが可能になるＱＲコード（登録商標）が付されており、メイン制御基板６３を収容する基板ケース８０に付されたＱＲコード（登録商標）の詳細については図５〜図８を用いて後に詳述する。
【００３９】
メイン制御基板６３のＲＡＭ６５はスロットマシン１の遊技状態などの遊技に関するデータを一時的に記憶するものであり、各種のデータを格納するための各種の記憶領域が形成されている。
【００４０】
また、メイン制御基板６３のＲＯＭ６７は予め設定されたデータを含む遊技機用プログラム（スロットマシン１用のプログラム）を記憶するものである。
【００４１】
また、メイン制御基板６３のメインＣＰＵ６１は、タイマ割込などの割込機能を有し、ＲＯＭ６７に記憶された遊技機用プログラムを実行することにより、遊技の進行に関する処理を行う。また、メインＣＰＵ６１は、役抽選結果に関する情報、各ストップスイッチ２１Ｌ，２１Ｍ，２１Ｒ、スタートスイッチ１９等の遊技者により操作される操作器具の操作に関する情報などの種々の遊技情報をコマンド形式でサブ制御基板７３（サブＣＰＵ７１）に送信する。
【００４２】
また、サブ制御基板７３のメモリ７５は、各種データを一時的に記憶するＲＡＭ部と、演出用の各種プログラムなどを記憶するＲＯＭ部とを備えている。また、サブ制御基板７３のサブＣＰＵ７１は、タイマ割込などの割込機能を有し、サブＣＰＵ７１は、メインＣＰＵ６１から送信されるスロットマシン１に関する各種の遊技情報等に基づいてメモリ７５に格納されたプログラムを実行することで、遊技者に対する遊技に関連する演出の内容を決定する。また、サブ制御基板７３のサブＣＰＵ７１は、決定された演出の内容に基づいて、サブ制御基板７３が有するＩ／Ｏポートを介して、液晶表示器２７、スピーカ３１Ｌ，３１Ｒ、上部ランプ部３３、下部ランプ部３７Ｌ，３７Ｒなどの演出機器の制御を行う。
【００４３】
（メイン制御基板）
次に、メイン制御基板６３について説明する。
【００４４】
メイン制御基板６３に実装されたメインＣＰＵ６１は、ＲＯＭ６７に格納されたプログラムを実行することにより実現される種々の機能や、ハードウェアが制御されることにより実現される種々の機能を備えている。
【００４５】
メインＣＰＵ６１は、当選した当選役グループ（１または複数の役を構成役として有する。）の種類や役の入賞・非入賞等により、スロットマシン１が備える複数の遊技状態のうちいずれか一つの遊技状態にスロットマシン１の遊技を制御する。
【００４６】
また、メインＣＰＵ６１は、電源スイッチ５０、変更処理開始スイッチ５６、リセットスイッチ５２に対する所定の設定変更操作に基づいて、出玉率（獲得メダル数÷投入メダル数×１００［％］）の調整をするための設定（設定１〜設定６）を変更する。
【００４７】
また、メインＣＰＵ６１は、制御した遊技状態の種類、および、設定した設定値（設定１から設定６）に基づき、複数の役抽選テーブルから１つの役抽選テーブルを選択する。この役抽選テーブルには、予め設定された複数の当選役グループそれぞれについて、当選役グループと当該当選役グループが役抽選において当選となる抽選値の範囲とが対応づけて記憶されている。
【００４８】
また、メインＣＰＵ６１は、スタートスイッチ１９が遊技者により操作されると、役抽選用の乱数を所定の範囲内で発生させ、発生させた乱数値を抽選値としてスタートスイッチ１９が操作されたタイミングで抽出する。そして、メインＣＰＵ６１は、選択した役抽選値テーブルと抽出した抽選値とを用いて当選役グループの当選かどうかの決定を行う。
【００４９】
また、メインＣＰＵ６１は、スタートスイッチ１９が遊技者により操作されると、各リール１３Ｌ，１３Ｍ，１３Ｒの回転を開始させ、左・中・右位置センサ５５Ｌ，５５Ｍ，５５Ｒの検出信号と、左・中・右リール１３Ｌ，１３Ｍ，１３Ｒを駆動する各リールモータ１４Ｌ，１４Ｍ，１４Ｒへの供給パルス数とに基づき、左・中・右リール１３Ｌ，１３Ｍ，１３Ｒの回転位置をそれぞれ検出する。メインＣＰＵ６１は、全てのリール１３Ｌ，１３Ｍ，１３Ｒが定速回転となったときに、各ストップスイッチ２１Ｌ，２１Ｍ，２１Ｒの操作を有効操作として受付ける状態となる。この状態で各ストップスイッチ２１Ｌ，２１Ｍ，２１Ｒの操作が遊技者により行われると、メインＣＰＵ６１は、検出した各左・中・右リール１３Ｌ，１３Ｍ，１３Ｒの回転位置と、遊技者による各ストップスイッチ２１Ｌ，２１Ｍ，２１Ｒの操作態様（例えば押し順や操作タイミング）と、役抽選結果とに基づき、予め設定されているすべりコマ数（引き込み可能範囲：通常、最大４コマ）の範囲内で各リール１３Ｌ，１３Ｍ，１３Ｒが停止するように停止制御を行う。
【００５０】
全てのリール１３Ｌ，１３Ｍ，１３Ｒの回転が停止した後、メインＣＰＵ６１は、リール１３Ｌ，１３Ｍ，１３Ｒの入賞ラインの図柄組合せが、役抽選により当選した当選役グループを構成する役に対応する図柄組合せであるかどうかの判定を行い、入賞ラインの図柄組合せが当該役に対応する図柄組合せである場合は、当該役に入賞したと判定し、そうでない場合はハズレと判定する。メインＣＰＵ６１は、役抽選により当選した当選役グループを構成する役に入賞したと判定したときに、それがメダル払い出しのある役の入賞であれば、ホッパーユニット４３を動作させて、入賞した役に対応した払出数だけメダルを払い出すものである。ただし、メインＣＰＵ６１はクレジットメダルの貯留枚数が上限値（この実施形態では例えば５０枚）に達していない場合は、払出数分だけクレジットメダルの枚数を増加させる。
【００５１】
また、メインＣＰＵ６１は、メダルセレクタ４８の動作を制御することにより、メダル受入可と受入不可とを切り替える。
【００５２】
また、メインＣＰＵ６１は、設定値、遊技状態、役抽選結果に関する情報、図柄判定結果に関する情報、各リール１３Ｌ，１３Ｍ，１３Ｒの回転・停止状態、メダルの払出状態、前面扉５の開放または閉塞の状態、スロットマシン１のエラー状態などスロットマシン１の状態を表すデータ、各ストップスイッチ２１Ｌ，２１Ｍ，２１Ｒ、スタートスイッチ１９等の遊技者により操作される操作器具の操作に関する情報などの種々の情報をサブ制御基板７３（サブＣＰＵ７１）に送信するためのコマンドを生成し、生成したコマンドをサブ制御基板７３のサブＣＰＵ７１に送信する。なお、コマンドはメイン制御基板６３からサブ制御基板７３に一方通行で送信される。
【００５３】
（サブ制御基板）
次に、サブ制御基板７３について説明する。サブ制御基板７３は、メイン制御基板６３から送信されたコマンドを受信し、メイン制御基板６３の動作や状態に応じた演出を行うものである。サブ制御基板７３に実装されたサブＣＰＵ７１は、メモリ７５に格納されたプログラムを実行することにより実現される種々の機能や、ハードウェアにより実現される種々の機能を備えている。
【００５４】
サブＣＰＵ７１は、メイン制御基板６３（メインＣＰＵ６１）により送信された種々のデータを含むコマンドを受信する。そして、サブＣＰＵ７１は、受信したコマンドに応じて、演出の内容を決定し、決定した演出の内容に応じて、例えば、液晶表示器２７に動画等の画像を表示する表示制御を行ったり、スピーカ３１Ｌ，３１Ｒからの音声の出力制御を行ったり、上部ランプ部３３や下部ランプ部３７Ｌ，３７Ｒの光源を一斉にあるいは個別に点滅させる制御を行ったりする。
【００５５】
（ＱＲコード（登録商標）が設けられたかしめ記録紙、封印シール、型式シール）
続いて、メイン制御基板６３を収容した基板ケース８０に貼付されたかしめ記録紙３５０、封印シール５５０、型式シール７５０について図５〜図８を参照して説明する。
【００５６】
図５に示すように、基板ケース８０のカバー部材８０ａの前方板８０ａ１に、かしめ記録紙３５０及び型式シール７５０が添付されている。また、基板ケース８０のカバー部材８０ａの嵌合部８０ａ４（図４参照）とベース部材８０ｂの被嵌合部８０ｂ９（図４参照）の第１被嵌合形成部８０ｂ９ａ（図４参照）との境界部に一部が位置するように、嵌合部８０ａ４の封印シール添付面８０ａ４ａ（図４参照）と第１被嵌合形成部８０ｂ９ａの封印シール添付面８０ｂ９ａ１（図４参照）とに、封印シール５５０が添付されている。
【００５７】
かしめ記録紙３５０、封印シール５５０、型式シール７５０それぞれには、ＱＲコード（登録商標）３５５ａ，５５０ａ，７５０ｃが設けられ、これらのＱＲコード（登録商標）３５５ａ，５５０ａ，７５０ｃは基板ケース８０の外部から視認可能になっている。
【００５８】
ＱＲコード（登録商標）３５５ａ，５５０ａは前景が黒色で背景が白色となっており、ＱＲコード（登録商標）７５０ｃは前景が白色で背景が黒色となっている。なお、ＱＲコード（登録商標）３５５ａ，５５０ａなどの前景が黒色で背景が白色のＱＲコード（登録商標）は、ＱＲコード（登録商標）７５０ｃなどの前景が白色で背景が黒色のＱＲコード（登録商標）よりも一般的に広く普及している。
【００５９】
なお、ＱＲコード（登録商標）３５５ａ，５５０ａなどの前景が黒色で背景が白色のＱＲコード（登録商標）を適宜「第１種のＱＲコード（登録商標）と記載し、本発明の「第１種コード」に相当する。また、ＱＲコード（登録商標）７５０ｃなどの前景が白色で背景が黒色のＱＲコード（登録商標）を適宜「第２種のＱＲコード（登録商標）」と記載し、本発明の「第２種コード」に相当する。
【００６０】
（かしめ記録紙）
続いて、かしめ記録紙３５０について図６を参照して説明する。
【００６１】
かしめ記録紙３５０は、光透過性を有するシートにより形成され、図６に示すように、かしめ記録紙３５０の外周の各角部に例えばＲ０．３ｍｍの面取りなどを施してある。ここで、かしめ記録紙３５０は、ポリエチレンテレフタラート（ＰＥＴ）などの樹脂などにより形成され、又、無着色であることが望ましい。
【００６２】
かしめ記録紙３５０には、基板ケース８０の正規の開封履歴に関する文字が形成されている。ここで、基板ケース８０の正規の開封履歴に関する文字は、図６に示すように、「主基板番号」、「かしめ使用記録」、「Ａ」、「Ｂ」、「Ｃ」、「Ｆ」、「用途」、「本体固定用」、「立入検査」、「基板回収用」、「年月日」、「担当者」の文字である。ここで、「Ａ」、「Ｂ」、「Ｃ」、「Ｆ」に関しては、図６に示す通り、〇で囲まれているが、本件明細書では単に「Ａ」、「Ｂ」、「Ｃ」、「Ｆ」と記載する。
【００６３】
また、かしめ記録紙３５０に形成される基板ケース８０の正規の開封履歴に関する文字の色は、メイン制御基板６３の地色（例えばメイン制御基板６３の面のうちのかしめ記録紙３５０と対向する実装面６３ａの地色）に対し、高コントラストとなる色が使用される。
【００６４】
また、かしめ記録紙３５０の外周に沿った枠線Ｗ１や、上述の基板ケース８０の正規の開封履歴に関する文字を縦線と横線とで仕切る枠線Ｗ２の色も、かしめ記録紙３５０に形成される基板ケース８０の正規の開封履歴に関する文字の色と同様、メイン制御基板６３の地色（例えばメイン制御基板６３の面のうちのかしめ記録紙３５０と対向する実装面６３ａの地色）に対し、高コントラストとなる色、例えば、白色が使用される。なお、枠線Ｗ１の方が枠線Ｗ２よりも太線で形成されている。
【００６５】
また、かしめ記録紙３５０には、光透過性を有する光透過部と、下地の色を白色系統の色で形成された着色部３５１とを備える。ここで、光透過部は、かしめ記録紙３５０を光透過性を有するシートで形成するため、着色部３５１や記録紙３５０に形成される基板ケース８０の正規の開封履歴に関する文字や枠線Ｗ１、Ｗ２以外の部分となる。
【００６６】
着色部３５１は、複数の領域を備えており、例えば、文字情報３５４ａが記載される文字領域３５４と、ＱＲコード（登録商標）３５５ａが記載されるコード領域３５５と、検印領域３５７と、日付記入領域３５６ａ及び担当者名記入領域３５６ｂとの計９個、備えられており、着色部３５１は矩形状に着色されており、本実施の形態では、白色である。
【００６７】
かしめ記録紙３５０の右上に設けられた検印領域３５７の左側には「Ａ」の文字が、上述したように白色で形成されている。ここで、かしめ記録紙３５０の右上の検印領域３５７は「Ａかしめ部」を使用したことを示す捺印が可能な領域である。ここで、カバー部材８０ａとベース部材８０ｂとを係合させることを「Ａかしめ」と定義し、基板ケース８０における「Ａかしめ」が施される部分を「Ａかしめ部」と定義する。「Ａかしめ部」は、スロットマシン１が製造工場から出荷されてから、スロットマシン１の検査機関が基板ケース８０を開放してメイン制御基板６３を検査するまでの間、基板ケース８０の内部のメイン制御基板６３に不正改造等が施されないように、基板ケース８０を封止して、基板ケース８０が不正に開放された際にはその痕跡が残るようにするための部分である。なお、検印領域３５７に対する捺印に限定されず、検印領域３５７に対して筆記具などにより記入するようにしても良い。
【００６８】
一番上の日付記入領域３５６ａの上側には「年月日」、一番上の担当者名記入領域３５６ｂの上側には「担当者」、一番上の日付記入領域３５６ａの左側には「Ｂ」及び「本体固定用」、中央の日付記入領域３５６ａの左側には「Ｃ」及び「立入検査」、一番下の日付記入領域３５６ａの左側には、「Ｆ」、「基板回収用」の文字が、上述したように白色で形成されている。
【００６９】
ここで、かしめ記録紙３５０に形成される文字「Ｂ」及び「本体固定用」は、同じ行にある日付記入領域３５６ａ及び担当者名記入領域３５６ｂが「Ｂかしめ部」を正規に使用した「年月日」を作業者の筆記具による手書きや捺印などにより記入可能な領域及び「Ｂかしめ部」を正規に使用した「担当者」の名前を筆記具などにより記入可能な領域であることを示している。ここで、支持板８１と基板ケース８０とを係合させることを「Ｂかしめ」と定義し、基板ケース８０における「Ｂかしめ」が施される部分を「Ｂかしめ部」と定義する。「Ｂかしめ部」は、スロットマシン１が製造工場から出荷された後に、基板ケース８０が支持板８１から不正に取り外されないように、基板ケース８０を支持板８１に連結させて、基板ケース８０が支持板８１から不正に取り外された際にはその痕跡が残るようにするための部分である。基板ケース８０や支持板８１を点検する場合は、「Ｂかしめ部」やその周辺の状態（破壊痕等の有無）を確認することによって、基板ケース８０が支持板８１から不正に取り外されたか否かを確認することができる。
【００７０】
また、かしめ記録紙３５０に形成される文字「Ｃ」及び「立入検査」は、同じ行にある日付記入領域３５６ａ及び担当者名記入領域３５６ｂが「Ｃかしめ部」を正規に使用した「年月日」を筆記具などにより記入可能な領域及び「Ｃかしめ部」を正規に使用した「担当者」の名前を筆記具などにより記入可能な領域であることを示している。ここでは、「Ｂかしめ」の予備であって検査のためにＢかしめ部が破壊された後の支持板８１と基板ケース８０との係合を「Ｃかしめ」と定義し、基板ケース８０における「Ｃかしめ」が施される部分を「Ｃかしめ部」と定義する。なお「Ｃかしめ」の予備としてさらに「Ｄかしめ」を備えるようにしてもよい。
【００７１】
また、かしめ記録紙３５０に形成される文字「Ｆ」、「基板回収用」は、同じ行にある日付記入領域３５６ａ及び担当者名記入領域３５６ｂが「Ｆかしめ部」を正規に使用した「年月日」を筆記具などにより記入可能な領域及び「Ｆかしめ部」を使用した「担当者」の名前を筆記具などにより記入可能な領域であることを示している。ここでは、メイン制御基板６３をメーカに返却する際に、そのメイン制御基板６３を収容する基板ケース８０におけるベース部材８０ｂとカバー部材８０ａとを係合させることを「Ｆかしめ」と定義し、基板ケース８０における「Ｆかしめ」が施される部分を「Ｆかしめ部」と定義する。「Ｆかしめ部」は、メイン制御基板６３をメーカに返却する際に、基板ケース８０が不正に開放されないように、基板ケース８０を封止して、基板ケース８０が不正に開放された際にはその痕跡が残るようにするための部分である。
【００７２】
また、文字情報３５４ａは、例えば、「ＡＢＣＤ／１２３４５」などのメイン制御基板（主基板）の管理番号である。
【００７３】
以下では、例えば英数字や記号などからなる文字列をＱＲコード（登録商標）に変換するコード処理を適宜「第１コード処理」と記載する。また、ＱＲコード（登録商標）を当該ＱＲコード（登録商標）の作成に使用された文字列に変換するデコード処理を適宜「第１デコード処理」と記載し、本発明の「所定のデコード処理」に相当する。
【００７４】
また、ＱＲコード（登録商標）３５５ａは、例えば英数字や記号などからなる第１文字列（本発明の「第１情報」に相当する。）を第１コード処理し、その結果を白色で着色された着色部３５５に黒色で印刷等することにより作成されたものである。ＱＲコード（登録商標）３５５ａは前景が黒色で背景が白色である第１種のＱＲコード（登録商標）である。
【００７５】
第１文字列は、正規の作業者がＱＲコード（登録商標）３５５ａから読み取って確認作業に利用するものである。第１実施形態では、第１文字列は文字情報３５４ａを特定可能な情報であるが、これに限定されるものではない。ここで、文字情報３５４ａを特定可能な情報は、文字情報３５４ａと完全一致している情報や、文字情報３５４ａとは完全一致していなくても文字情報３５４ａを特定できる情報である。文字情報３５４ａとは完全一致していなくても文字情報３５４ａを特定できる情報として、例えば、文字情報３５４ａがＡＢＣＤ／１２３４５である場合のＡＢＣＤ１２３４５（スラッシュ無し）、文字情報３５４ａがＡＢＣＤ１２３４５である場合のＡＢＣＤ−１２３４５（ハイフン有り）、文字情報３５４ａがＡＢＣＤ／１２３４５ｓ（「ｓ」は機種に関わらず付加されるもの）である場合のＡＢＣＤ／１２３４５（「ｓ」無し）、文字情報３５４ａがＡＢＣＤ／１２３４５である場合の１２３４５／ＡＢＣＤ（順番の入れ替え）、文字情報３５４ａが６４５３である場合の００６４５３（上位桁側に「００」（上位桁）有り）、文字情報３５４ａが６４５３である場合のＫ６４５３（上位桁側に「Ｋ」有り）、文字情報３５４ａが６４５３である場合のＫ００６４５３（上位桁側に「Ｋ」及び「００」有り）などがある。また、両者に、大文字と小文字の違いや、全角と半角の違いや、フォントの違いなどがある場合であっても、文字情報３５４ａとは完全一致していなくても文字情報３５ａｂを特定できる情報の一例に含まれることとしてもよい。
【００７６】
ＱＲコード（登録商標）３５５ａでは、読取機を用いて、当該読取機が備えるカメラでＱＲコード（登録商標）３５５ａを撮像し、当該読取機が備えるＣＰＵ等によりＱＲコード（登録商標）３５５ａの撮像結果を、切り出しシンボルを検出して当該切り出しシンボルに対して前景と背景とがどのような位置関係になっているかを基に第１コード処理に対応する第１デコード処理することによって第１文字列に変換し、この第１デコード処理により、例えば正規の作業者などの人が第１文字列の全てを認識可能になる。このため、例えば、正規の作業者は、ＱＲコード（登録商標）３５５ａから第１デコード処理により認識可能に得られた第１文字列の全てを用いて確認作業を行うことが可能になる。
【００７７】
（封印シール）
続いて、封印シール５５０について図７を参照して説明する。
【００７８】
長方形状の封印シール５５０は、かしめ記録紙３５０における光透過部よりも光透過性が低い白色のシートにより形成され、図７に示すように、封印シール５５０の外周の各角部に例えばＲ２ｍｍの面取りなどを施してあり、文字情報５５０ｂと、ＱＲコード（登録商標）５５０ａとが表示される。
【００７９】
文字情報５５０ｂは、例えば、「８７６５４３２１」や「Ｄ２２５４９３９」などの封印シール５５０のシリアル番号である。
【００８０】
また、ＱＲコード（登録商標）５５０ａは、例えば英数字や記号などからなる第２文字列（本発明の「第１情報」に相当する。）を第１コード処理し、その結果を封印シール５５０に黒色で印刷等することにより作成されたものである。ＱＲコード（登録商標）５５０ａは、前景が黒色で背景が白色である第１種のＱＲコード（登録商標）である。
【００８１】
第２文字列は、正規の作業者がＱＲコード（登録商標）５５０ｂから読み取って確認作業に利用するものである。第１実施形態では、第２文字列は文字情報５５０ａとは異なる情報であるが、これに限定されるものではない。
【００８２】
ＱＲコード（登録商標）５５０ａでは、読取機を用いて、当該読取機が備えるカメラでＱＲコード（登録商標）５５０ａを撮像し、当該読取機が備えるＣＰＵ等によりＱＲコード（登録商標）５５０ａの撮像結果を、切り出しシンボルを検出して当該切り出しシンボルに対して前景と背景とがどのような位置関係になっているかを基に第１コード処理に対応する第１デコード処理することによって第２文字列に変換し、この第１デコード処理により、例えば正規の作業者などの人が第２文字列の全てを認識可能になる。このため、例えば、正規の作業者は、ＱＲコード（登録商標）５５０ａから第１デコード処理により認識可能に得られた第２文字列の全てを用いて確認作業を行うことが可能になる。
【００８３】
（型式シール）
続いて、型式シール７５０について図８を参照して説明する。
【００８４】
長方形状の型式シール７５０は、光透過性を有しない白色のシートにより形成され、図８に示すように、封印シール５５０の外周の各角部に例えばＲ１．５ｍｍの面取りなどを施してあり、機種名７５０ａと、文字情報７５０ｂと、ＱＲコード（登録商標）７５０ｃとが表示され、ＱＲコード（登録商標）７５０ｃが白色で印刷等される黒色に着色された着色部７５０ｄが形成されている。
【００８５】
機種名７５０ａは、スロットマシン１の機種名である。
【００８６】
また、文字情報７５０ｂは、例えば、「Ｙ３０Ａ」などのスロットマシン１の型式番号である。
【００８７】
以下では、例えば英数字や記号などからなる文字列を人が当該文字列を認識できない別の文字列に変換するコード処理を適宜「第２コード処理」と記載する。また、別の文字列を当該別の文字列の作成に使用された文字列に変換するデコード処理を適宜「第２デコード処理」と記載し、本発明の「特定のデコード処理」に相当する。
【００８８】
また、ＱＲコード（登録商標）７５０ｃは、例えば英数字や記号等からなる第３文字列（本発明の「第２情報」に相当）を第２コード処理し、当該第２コード処理の結果得られる人が第３文字列を認識できない別の文字列（以下、「中間文字列」と記載する。）を第１コード処理し、その結果を黒色で着色された着色部７５０ｄに白色で印刷等することにより形成されたものである。ＱＲコード（登録商標）７５０ｃは前景が白色で背景が黒色である第２種のＱＲコード（登録商標）である。
【００８９】
第３文字列は、正規の作業者がＱＲコード（登録商標）７５０ｃから読み取って確認作業に利用するものである。第１実施形態では、第３文字列は文字情報７５０ｂを特定可能な情報であるが、これに限定されるものではない。
【００９０】
第１実施形態では、第３文字列を第２コード処理して得られる中間文字列は、例えば、第３文字列が文字情報７５０ｂを特定可能な情報部分のみからなる場合（例えば、「Ｙ３０Ａ」）や一部に文字情報７５０ｂを特定可能な情報部分を含む場合（例えば、「Ｘ１Ｘ２Ｙ３０ＡＸ３」）、正規の作業者などの人は、第３文字列を認識できず、さらに第３文字列の全部又は一部を構成する文字情報７５０ｂを特定可能な情報を認識できないような文字列であり、第２コード処理はこのような中間文字列が得られる処理である。
【００９１】
ＱＲコード（登録商標）７５０ｃでは、読取機を用いて、当該読取機が備えるカメラでＱＲコード（登録商標）７５０ｃを撮像し、当該読取機が備えるＣＰＵ等によりＱＲコード（登録商標）７５０ｃの撮像結果を、切り出しシンボルを検出して当該切り出しシンボルに対して前景と背景とがどのような位置関係になっているかを基に第１コード処理に対応する第１デコード処理することによって中間文字列に変換し、変換の結果得られた中間文字列を第２コード処理に対応する第２デコード処理することによって第３文字列に変換し、これにより、例えば正規の作業者などの人が第３文字列の全てを認識可能になる。このため、例えば、正規の作業者は、ＱＲコード（登録商標）７５０ｃから第１デコード処理及び第２デコード処理の双方の処理により認識可能に得られた第３文字列の全てを用いて確認作業を行うことが可能になる。ここで、第１デコード処理は、ＱＲコード（登録商標）３５５ａ，５５０ａなどの第１種のＱＲコード（登録商標）と、ＱＲコード（登録商標）７５０ｃなどの第２種のＱＲコード（登録商標）とも、撮像結果から切り出しシンボルを検出して当該切り出しシンボルに対して前景と背景とがどのような位置関係になっているかを基に、コード化される前の文字列（元の文字列）を取得するためのものである。しかしながら、背景が白色で前景が黒色である第１種のＱＲコード（登録商標）用に設計された読取機又は読取機に実装された第１種のＱＲコード（登録商標）用に構築されたソフトウェアでは、例えば第１種のＱＲコード（登録商標）と第２種のＱＲコード（登録商標）とでは前景と背景の明度の関係が逆転しているために、第１デコード処理の実施前に前景の色と背景の色との関係の認識機能や白黒の反転機能を備えていなければ切り出しシンボルを正常に検出することができないなど、第２種のＱＲコード（登録商標）に対して正常に第１デコード処理を行うことができない。また、背景が黒色で前景が白色である第２種のＱＲコード（登録商標）用に設計された読取機又は読取機に実装された第２種のＱＲコード（登録商標）用に構築されたソフトウェアでは、同様に、第１種のＱＲコード（登録商標）に対して正常に第１デコード処理を行うことができない。
【００９２】
ただし、ＱＲコード（登録商標）７５０ｃでは、ＱＲコード（登録商標）７５０ｃの撮像結果を第１コード処理に対応する第１デコード処理しても人が第３文字列を認識できない中間文字列までしか得られない。つまり、ＱＲコード（登録商標）７５０ｃでは、第１デコード処理まででは人は第３文字列の全てを認識することができないようになっている。
【００９３】
第１実施形態では、基板ケース８０の外部から視認可能な第１種のＱＲコード（登録商標）としてＱＲコード（登録商標）３５５ａ，５５０ａの２つがあり、基板ケース８０の外部から視認可能な第２種のＱＲコード（登録商標）としてＱＲコード（登録商標）７５０ｃの１つがあり、前者が後者よりも多くなっている。
【００９４】
したがって上記した第１実施形態によれば、第２種のＱＲコード（登録商標）７５０ｃは前景が白色で背景が黒色で作成されたものであり、一般的に広く普及している前景が黒色で背景が白色で作成された第１種のＱＲコード（登録商標）３５５ａ，５５０ａとは、前景と背景との色の明度の関係が逆転しているため、前景が黒色で背景が白色で作成された第１種のＱＲコード（登録商標）３５５ａ，５５０ａなど用に設計された読取機又は読取機に実装された第１種のＱＲコード（登録商標）３５５ａ，５５０ａ用に構築されたソフトウェアでは、そもそも、例えば明度の関係が逆転しているために切り出しシンボルを正常に見つけることができないなど、前景が白色で背景が黒色で作成された第２種のＱＲコード（登録商標）７５０ｃに対して正常に第１デコード処理を行うことができない。また、第２種のＱＲコード（登録商標）７５０ｃでは、確認作業に用いられる第３文字列を認識可能に取得するには第１デコード処理だけでは足りず第１デコード処理及び第２デコード処理を必要とするため、仮に第２種のＱＲコード（登録商標）７５０ｃを正常に第１デコード処理できたとしても第２デコード処理が行われる前の第３文字列を人が認識できない不可解な文字列（中間文字列）しか得られず、また、第２デコード処理が必要であることを知っていない不正行為者に第３文字列を人が認識できない不可解な文字列（中間文字列）を見た段階でそれ以上の不正取得の試みを断念させることが可能となる。この結果、第２種のＱＲコード（登録商標）７５０ｃに関するセキュリティの向上を図ることができる。
【００９５】
また、第１種のＱＲコード（登録商標）３５５ａ，５５０ａと第２種のＱＲコード（登録商標）７５０ｃとの双方があって、第２種のＱＲコード（登録商標）７５０ｃよりも一般に使用される第１種のＱＲコード（登録商標）３５５ａ，５５０ａ用に設計された読取機又は第１種のＱＲコード（登録商標）３５５ａ，５５０ａ用に構築されたソフトウェアが実装された読取機が広く普及しているため、第１種のＱＲコード（登録商標）３５５ａ，５５０ａ用に設計された読取機又は第１種のＱＲコード（登録商標）３５５ａ，５５０ａ用に構築されたソフトウェアを用意するように不正行為者を誘導でき、第２種のＱＲコード（登録商標）７５０ｃに関するセキュリティの向上を図ることができる。
【００９６】
また、第１種のＱＲコード（登録商標）３５５ａ，５５０ａの数が第２種のＱＲコード（登録商標）７５０ｃの数よりも多いため、不正行為者が第１種のＱＲコード（登録商標）３５５ａ，５５０ａに設計された読取機又は第１種のＱＲコード（登録商標）３５５ａ，５５０ａ用に構築されたソフトウェアが実装された読取機を用意するように不正行為者をより誘導でき、これにより、第２種のＱＲコード（登録商標）７５０ｃに関するセキュリティの更なる向上を図ることができる。
【００９７】
＜第２実施形態＞
本発明の第２実施形態に係る遊技機の一例であるスロットマシン１について、図９〜図１３を参照して説明する。図９は第２実施形態のメイン制御基板６３及び基板ケース８０の分解斜視図である。図１０は支持板８１に取り付けた状態のメイン制御基板６３を収容した基板ケース８０の正面図である。図１１は図１０の一点鎖線Ｂで囲む領域のメイン制御基板６３の実装面６３ａの概略を示す図である。図１２は図１０のＡ−Ａ矢視断面の概略を示す図である。
【００９８】
第２実施形態は、主に、メイン制御基板６３の実装面６３ａの無配線領域２０１５（ベタ配線で形成された第１配線パターンで囲まれた配線パターンが存在しない領域）にＱＲコード（登録商標）１０００が形成されたシール１０１０が配置され、基板ケース８０には無配線領域２０１５に対応して凹部１０３０が形成される点において、第１実施形態と異なる。なお、第２実施形態では、第１実施形態の構成と同様の構成には同じ符号を付し、その説明を省略する。
【００９９】
メイン制御基板６３は、図１２に示すように、カバー部材８０ａとベース部材８０ｂとからなる基板ケース８０に収容される。
【０１００】
メイン制御基板６３において、その実装面６３ａには、電位が所定値０であるグランド用の配線パターン２０１０、電位が所定値ＶＤＤである電源用の配線パターン（不図示）、信号用の配線パターン２０２０が配置されるとともに、メインＣＰＵ６１やコネクタ１０２０などの複数の部品が実装されている（図１１、図１２参照）。配線パターン２０１０は単一のベタ配線で形成されている。なお、コネクタ１０２０の配置位置の詳細については後述する。
【０１０１】
また、メイン制御基板６３において、その裏面６３ｂには、電位が所定値０であるグランド用の配線パターン２０３０、電位が所定値ＶＤＤである電源用の配線パターン（不図示）、信号用の配線パターン（不図示）が配置されている（図１２参照）。
【０１０２】
また、メイン制御基板６３には、実装面６３ａに配置されたグランド用の配線パターン２０１０と裏面６３ｂに配置されたグランド用の配線パターン２０３０とを電気的に接続するメイン制御基板６３を貫通するビア２０４０，ビア２０４５が複数形成されている（図１１、図１２参照）。なお、複数のビア２０４０の配置位置の詳細については後述する。また、メイン制御基板６３には、実装面６３ａに配置された電源用の配線パターンと裏面６３ｂに配置された電源用の配線パターンとを接続するメイン制御基板６３を貫通するビア（不図示）が複数形成されている。また、メイン制御基板６３には、実装面６３ａに配置された信号用の配線パターン２０２０と、裏面６３ｂに配置された信号用の配線パターンとを接続するメイン制御基板６３を貫通するビア２０５０が複数形成されている（図１１参照）。ビア２０４０などの各ビアは、配線パターン２０１０の色や実装面６３ａの色と大きく異なる色（例えば、金色）をしている。
【０１０３】
また、メイン制御基板６３の実装面６３ａには、単一のベタ配線で形成された配線パターン２０１０に囲まれ、サイズがシール１０１０のサイズよりも大きい、配線パターンが存在しない無配線領域２０１５が存在し、実装面６３ａが剥き出しになっている（図１０、図１１、図１２参照）。第２実施形態では、配線パターン２０１０の色と実装面６３ａの色（実装面６３ａが剥き出しになっている無配線領域２０１５の色）とは見分けがつくが一見しただけでは見分けにくい同系色（例えば、緑色と深緑色）である。
【０１０４】
上記した複数のビア２０４０は、図１１に示すように、配線パターン２０１０における無配線領域２０１５と隣接する隣接領域に、整列して敷設される。図１１の具体例では、隣接領域のうちの無配線領域２０１５の上側の領域に５個のビア２０４０が略等間隔に敷設され、隣接領域のうちの無配線領域２０１５の下側の領域に５個のビア２０４０が略等間隔に敷設されている。なお、複数のビア２０４０を隣接領域に整列して敷設する例として、無配線町域２０１５の全周を取り囲むように整列して敷設することが挙げられる。これらのように、作業者がシール１０１０を無配線領域２０１５に貼り付ける際に複数のビア２０４０が無配線領域２０１５の存在位置の目印となるように、複数のビア２０４０が、配線パターン２０１０における無配線領域２０１５と隣接する隣接領域に、整列して敷設されるようにするとよい。
【０１０５】
また、表面には情報の読み取りに際して読取機が用いられるＱＲコード（登録商標）１０００が形成され、裏面には接着剤が塗布されたシール１０１０が、シール１０１０全体が無配線領域２０１５に収まるように、無配線領域２０１５に貼り付けられる（図１０、図１１、図１２参照）。なお、図１０では、ＱＲコード（登録商標）１０００は基板ケース８０の奥側（ｙ軸の正方向側）に存在しているが、図面の作成の便宜上実線で図示している。無配線領域２０１５は平坦であるため、シール１０１０を無配線領域２０１５に貼り付けることに起因してシール１０１０の表面が凸凹にならずに平坦とすることができる。
【０１０６】
ＱＲコード（登録商標）１０００は、例えば英数字や記号などからなる第４文字列を第１コード処理し、その結果を白色のシール１０１０に黒色で印刷等することにより作成されたものである。
【０１０７】
第４文字列は、正規の作業者がＱＲコード（登録商標）１０００から読み取って確認作業に利用するものである。第２実施形態では、第４文字列はメイン制御基板６３の基板ＩＤであるが、製造番号や製造場所など、これに限定されるものではない。
【０１０８】
ＱＲコード（登録商標）１０００では、読取機を用いて、当該読取機が備えるカメラでＱＲコード（登録商標）１０００を撮像し、当該読取機が備えるＣＰＵ等によりＱＲコード（登録商標）１０００の撮像結果を、切り出しシンボルを検出して当該切り出しシンボルに対して前景と背景とがどのような位置関係になっているかを基に第１コード処理に対応する第１デコード処理することによって第４文字列に変換し、この第１デコード処理により、例えば正規の作業者などの人が第４文字列の全てを認識可能になる。このため、例えば、正規の作業者は、ＱＲコード（登録商標）１０００から第１デコード処理により認識可能に得られた第４文字列の全てを用いて確認作業を行うことが可能になる。
【０１０９】
なお、無配線領域２０１５に貼り付けられたシール１０１０の表面に形成されたＱＲコード（登録商標）１０００は、第４文字列を第２コード処理し、第２コード処理の結果得られる人が第４文字列を認識できない別の文字列を第１コード処理し、その結果をシール１０１０の黒色で着色された着色部に白色で印刷等することにより形成されたＱＲコード（登録商標）などであってもよく、第２実施形態ではＱＲコード（登録商標）１０００の種類などに制限はない。
【０１１０】
また、コネクタ１０２０は、図１１に示すように、実装面６３ａのうちの、無配線領域２０１５を含む領域（以下、「凹部形成対向領域」と記載する。）２０００に配置される。コネクタ１０２０の配置位置は、メイン制御基板６３が基板ケース８０に収容された状態で例えば不正行為者によるＱＲコード（登録商標）１０００の発見を邪魔するが、正規の作業者による読取機でのＱＲコード（登録商標）１０００の撮像を邪魔しないような位置であることが好ましい。また、後述するように、基板ケース８０では、メイン制御基板６３を収容した基板ケース８０の正面視での凹部形成対向領域２０００と重なる領域に凹部１０３０が形成され、凹部１０３０は斜視でのＱＲコード（登録商標）１０００の発見を邪魔する作用を有するものであるので、このことを踏まえて凹部形成対向領域２０００のサイズを設定することが好ましい。
【０１１１】
基板ケース８０のカバー部材８０ａの前方板８０ａ１には、メイン制御基板６３を収容した基板ケースの正面視において、メイン制御基板６３の実装面６３ａの凹部形成対向領域２０００と重なる領域（以下、「凹部形成領域」と記載する。）がメイン制御基板６３の実装面６３ａ側に凹んだ凹形状となるように凹部１０３０が形成されており、凹部１０３０の一部に挿通孔１０３１が形成されている（図９、図１０、図１２参照）。基板ケース８０にメイン制御基板６３が収容された状態では、コネクタ１０２０は挿通孔１０３１に挿通した状態となる。
【０１１２】
凹部１０３０のメイン制御基板６３の実装面６３ａと対向する面は、当該面の全領域で、実装面６３ａと平行な平坦面となっている。なお、凹部１０３０のメイン制御基板６３の実装面６３ａと対向する面は、少なくとも、メイン制御基板６３を収容した基板ケース８０の正面視で無配線領域２０１５と重なる領域で、実装面６３ａと平行な平坦面とするとよい。
【０１１３】
なお、第２実施形態では、凹部１０３は、メイン制御基板６３を収容した基板ケース８０の正面視で実装面６３ａのうちの凹部形成対向領域２０００と重なる領域に形成されるようにしているが、例えば、例えば、無配線領域２０１５以外の領域とは重ならず、無配線領域２０１５と重なる領域にだけ形成されるようにしてもよい。
【０１１４】
また、メイン制御基板６３を収容した基板ケース８０を支持板８１によりスロットマシン１の筐体３の後側面に取り付け、メイン制御基板６３をサブ制御基板７３などと接続したスロットマシン１の稼働状態などでは、図１３に示すように、コネクタ１０２０に接続されたハーネスＨが、例えば基板ケース８０のカバー部材８０ａにクリップなどで固定して、無配線領域２０１５側に延在するように敷設される。なお、ハーネスＨが無配線領域２０１５側に延在する例として、図１３のようにハーネスＨがメイン制御基板６３を収容した基板ケース８０の正面視で無配線領域２０１５と重なるように無配線領域２０１５側に延在する場合の他に、例えば、ハーネスＨがメイン制御基板６３を収容した基板ケース８０の正面視で無配線領域２０１５と重ならないが無配線領域２０１５の近くの領域と重なるように無配線領域２０１５側に延在する場合がある。
【０１１５】
したがって、上記した第２実施形態によれば、シール１０１０を貼り付ける領域をベタ配線で形成された配線パターン２０１０で囲まれた配線パターンが存在しない無配線領域２０１５とすることで、シール１０１０の貼付時にシール１０１０を貼り付ける領域を視覚的に分かりやすくすることができる。また、配線パターンが存在しない無配線領域２０１５は通常平坦となっており、シール１０１０を通常平坦となっている無配線領域２０１５に貼り付けた場合には、シール１０１０を無配線領域２０１５に貼り付けたことに起因してシール１０１０の表面に形成されたＱＲコード（登録商標）１０００に凹凸ができず、このため、ＱＲコード（登録商標）１０００を読取機で撮像した場合に撮像したＱＲコード（登録商標）１０００がほとんど歪むことがなく、ＱＲコード（登録商標）１０００の誤認識を防止できる。また、シール１０１０は平坦である無配線領域２０１５に貼り付けられるため、シール１０１０が剥がれにくくなる。
【０１１６】
また、ダイシングの余白や基板製造番号を入れるために四方を配線パターンで囲まれていない配線パターンが存在しない領域が作られるが、仮に四方を配線パターンで囲まれていない配線パターンが存在しない領域をシール１０１０の貼付領域とした場合には、両領域の誤認を防ぐために例えば当該シール１０１０の貼付領域を判別可能にする『』のようなマークをシルク印刷で作成する工程が必要となる。しかしながら、第２実施形態では、シール１０１０を貼り付ける領域をベタ配線で形成された配線パターン２０１０で囲まれた配線パターンが存在しない無配線領域２０１５とすることで前述のシルク印刷の工程が必要でなくなるため、製造工程の増大を抑制することができる。
【０１１７】
また、基板ケース８０の正面視では、ＱＲコード（登録商標）１０００は基板ケース８０に形成された凹部１０３０での平坦となっている領域の奥にＱＲコード（登録商標）１０００全体が当該領域と重なるように存在するため、基板ケース８０の凹部１０３０が読取機による撮像時に邪魔にならず、読取機でのＱＲコード（登録商標）１０００の撮像を容易にできる。また、基板ケース８０の斜視では、基板ケース８０の凹部１０３０によりＱＲコード（登録商標）１０００が見にくくなるため、ＱＲコード（登録商標）１０００が基板ケース８０に形成された凹部１０３０の奥にあることを知らない人にはＱＲコード（登録商標）１０００の発見が難しくなる。
【０１１８】
また、配線パターン２０１０と無配線領域２０１５は同系色（例えば、緑色と深緑色）であるため配線パターン２０１０と無配線領域２０１５との境界は分かりにくいが、ビア２０４０は通常配線パターン２０１０とも無配線領域２０１５とも大きく色が異なって目立つため、配線パターン２０１０における無配線領域２０１５と隣接する隣接領域に整列して敷設された複数のビア２０４０により、シール１０１０を貼り付ける領域である無配線領域２０１５が分かりやすくなってシール１０１０の貼り付け作業が容易になる。特に、光がビア２０４０に当たって反射した場合には、反射した光により隣接領域に整列して敷設された複数のビア２０４０がより見やすくなって無配線領域がより分かりやすくなってシールの貼り付け作業が容易になる。
【０１１９】
また、コネクタ１０２０を凹部形成対向領域２０００に設けることによって、コネクタ１０２０によりＱＲコード（登録商標）１０００が見にくくなるため、ＱＲコード（登録商標）１０００がどこにあるか分からない人によるＱＲコード（登録商標）１０００の発見をより難しくできる。
【０１２０】
また、ハーネスＨがコネクタ１０２０に接続された稼働状態では、無配線領域２０１５側に延在するように敷設されたハーネスＨによりＱＲコード（登録商標）１０００が見にくくなるため、ＱＲコード（登録商標）１０００がどこにあるか分からない人によるＱＲコード（登録商標）１０００の発見をより難しくすることができる。また、仮に不正行為者がＱＲコード（登録商標）１０００を発見できたとしても、ＱＲコード（登録商標）１０００を読取機で撮像する際にハーネスＨが邪魔になって読取機でのＱＲコード（登録商標）１０００の撮像をより難しくできる。
【０１２１】
また、例えば不正行為者からＱＲコード（登録商標）１０００を隠すために利用する凹部１０３０にコネクタ１０２０が挿通する挿通孔１０３１を設けることで、基板ケース８０での凹部１０３１等の凹部の制作箇所を少なくできて、基板ケース８０の製造が容易になる。
【０１２２】
なお、本発明は上記した実施形態に限定されるものではなく、その趣旨を逸脱しない限りにおいて、上記したもの以外に種々の変更を行うことが可能である。
【０１２３】
例えば、上記した第１実施形態では、第１種のＱＲコード（登録商標）３５５ａ，５５０ａは背景が白色で前景が黒色であるとし、第２種のＱＲコード（登録商標）７５０ｃは背景が黒色で前景が白色であるとしているが、これに限定されず、第１種のＱＲコード（登録商標）３５５ａ，５５０ａを背景が白色で前景が黒色である以外の背景の色の明度よりも前景の色の明度の方が低いＱＲコード（登録商標）とし、第２種のＱＲコード（登録商標）７５０ｃを背景が黒色で前景が白色である以外の背景の色の明度よりも前景の色の明度の方が高いＱＲコード（登録商標）としてもよい。
【０１２４】
また、上記した第１実施形態では、第１種のＱＲコード（登録商標）をＱＲコード（登録商標）３５５ａ，５５０ａの２個、第２種のＱＲコード（登録商標）をＱＲコード（登録商標）７５０ｃの１個としたが、これに限定されるものではなく、第１種のＱＲコード（登録商標）が２個で第２種のＱＲコード（登録商標）が１個である以外の第１種のＱＲコード（登録商標）の個数が第２種のＱＲコード（登録商標）の個数よりも多いとしてもよい。
【０１２５】
また、上記した第１実施形態では、第１種のＱＲコード（登録商標）をＱＲコード（登録商標）３５５ａ，５５０ａの２個、第２種のＱＲコード（登録商標）をＱＲコード（登録商標）７５０ｃの１個としたが、これに限定されるものではなく、第１種のＱＲコード（登録商標）の個数と第２種のＱＲコード（登録商標）の個数とが同じであってもよいし、第２種のＱＲコード（登録商標）の個数が第１種のＱＲコード（登録商標）の個数より多いとしてもよい。
【０１２６】
また、上記した第１実施形態では、基板ケース８０の外部から視認可能なＱＲコード（登録商標）を基板ケース８０の外面に貼付されたかしめ記録紙３５０、封印シール５５０、型式シール７５０に形成されたＱＲコード（登録商標）３５５ａ，５５０ａ，７５０ｃとしたが、これに限定されるものではなく、例えば、基板ケース８０に直接刻印等された基板ケース８０の外部から視認可能なＱＲコード（登録商標）であってもよいし、メイン制御基板６３の実装面６３ａに設けられた基板ケース８０の外部から視認可能なＱＲコード（登録商標）や実装面６３ａに実装された電子部品の天面に設けられた基板ケース８０の外部から視認可能なＱＲコード（登録商標）であってもよい。
【０１２７】
また、上記した第１実施形態では、第３文字列を第２コード処理して得られる中間文字列は、例えば、第３文字列が文字情報７５０ｂを特定可能な情報部分のみからなる場合（例えば、「Ｙ３０Ａ」）や一部に文字情報７５０ｂを特定可能な情報部分を含む場合（例えば、「Ｘ１Ｘ２Ｙ３０ＡＸ３」）、正規の作業者などの人は、第３文字列を認識できず、さらに第３文字列の全部又は一部を構成する文字情報７５０ｂを特定可能な情報を認識できないような文字列であり、第２コード処理はこのような中間文字列が得られる処理であるとしたが、これに限定されるものではなく、例えば次のようなものであってもよい。例えば、第３文字列を第２コード処理して得られる中間文字列は、例えば、第３文字列が一部に文字情報７５０ｂを特定可能な情報部分を含む場合（例えば、「Ｘ１Ｘ２Ｙ３０ＡＸ３」）、正規の作業者などの人は、第３文字列全体を認識することができないが、第３文字列の一部を構成する文字情報７５０ｂを特定可能な情報を認識できるような文字列（例えば、「Ｙ１Ｙ２Ｙ３Ｙ４Ｙ５Ｙ３０ＡＹ６Ｙ７」）であり、第２コード処理はこのような中間文字列が得られる処理であるとしてもよい。このようにすると、例えば文字情報７５０ｂとＱＲコード（登録商標）７５０ｃとが近くに配置されているような場合において、仮に正規の作業者が読取機又は読取機に実装されたソフトウェアを用いてＱＲコード（登録商標）７５０ｃから第３文字列を読み取ろうとした際に、読取機又は読取機に実装されたソフトウェアに前景が白色で背景が黒色であるＱＲコード（登録商標）７５０ｃに対する第１デコード処理の機能が備えられているが、第２デコード処理の機能が備わっていないような場合には、第３文字列全体を認識できないが、第１デコード処理により得られる中間文字列から文字情報７５０ｂを特定可能な情報を認識でき、この認識できた文字情報７５０ｂを特定可能な情報と文字情報７５０ｂとの対比作業を行うことができる。
【０１２８】
また、上記した第１実施形態や第２実施形態では、二次元コードをＱＲコード（登録商標）３５５ａ，５５０ａ，７５０ｃ，１０００であるとしたが、これに限定されるものではなく、例えば、ＱＲコード（登録商標）以外の２次元コードや、バーコードなどの一次元コードなどであってもよい。
【０１２９】
また、上記した第２実施形態では、ＱＲコード（登録商標）１０００が形成されたシール１０１０を貼り付ける配線パターンが存在しない無配線領域２０１５を、電位が所定値０であるグランド用の配線パターン２０３０に囲まれた領域としたが、これに限定されるものではなく、例えば、電位が所定値ＶＤＤである電源用の配線パターンに囲まれた領域としてもよい。
【０１３０】
また、上記した第２実施形態において、次のような制約を付加するようにしてもよく、図１４を参照して説明する。図１４はメイン制御基板６３の実装面６３ａを見た状態の図であり、裏面６３ｂ側に配置された後述する配線パターン３０００や、裏面６３ｂ側の第１禁止領域３００５ａ及び第２禁止領域３００５ｂは、点線で示している。なお、ここでは、周囲を同一の配線パターン（例えば、ベタ配線で形成された同一の配線パターン）で囲まれた配線パターンが存在しない領域を適宜「第１無配線領域」と記載する。また、配線パターンは存在しないが、周囲の少なくとも一部が同一の配線パターン（例えば、ベタ配線で形成された同一の配線パターン）で囲まれていない領域を適宜「第２無配線領域」と記載する。
【０１３１】
無配線領域２０１５が存在する実装面６３ａの裏面６３ｂでは、裏面６３ｂを垂直な方向から見て無配線領域２０１５と重なる領域と、裏面６３ｂの長手方向での裏面６３ｂの中心線ＣＬ１に対して線対称となる領域（以下、「第１禁止領域」と記載する。）３００５ａ及び裏面６３ｂの短手方向での裏面６３ｂの中心線ＣＬ２に対して線対称となる領域（以下、「第２禁止領域」と記載する。）３００５ｂは、第１無配線領域としない。つまり、第１禁止領域３００５ａ及び第２禁止領域３００５ｂは、第１無配線領域とすることを禁止する領域である。図１４の例では、第１禁止領域３００５ａ及び第２禁止領域３００５ｂには、ベタ配線で形成された配線パターン３０００が存在し、第１無配線領域となっていない。なお、第１禁止領域３００５ａ及び第２禁止領域３００５ｂが、第２無配線領域となっていてもよい。
【０１３２】
このようにすることより、メイン制御基板６３に部品を実装する前であっても、無配線領域２０１５を利用することにより、メイン制御基板６３の実装面６３ａと裏面６３ｂとの区別を容易につけることができる。
【０１３３】
また、裏面６３ｂに第１無配線領域を形成することを禁止するようにしてもよい。これによれば、メイン制御基板６３に部品を実装する前であっても、無配線領域２０１５を利用することにより、メイン制御基板６３の実装面６３ａと裏面６３ｂとの区別を容易につけることができる。
【０１３４】
また、上記した第１実施形態や第２実施形態、それらの変形例の内容を、例えば、サブ制御基板７３及び当該サブ制御基板７３を収容する基板ケース９０など、他の制御基板及び当該他の制御基板を収容する他の基板ケースに適用可能である。
【０１３５】
また、上記した第１実施形態や第２実施形態、それらの変形例の内容を、パチンコ機やカジノマシンなどの他の遊技機に適用可能である。
【０１３６】
また、上記実施形態や上記変形例等の内容を適宜組み合わせることができる。
【０１３７】
本発明は、制御基板と、当該制御基板を収容する基板ケースとを備えるセキュリティ対策の必要な遊技機に適用することができる。
【符号の説明】
【０１３８】
１…スロットマシン
６３…メイン制御基板
８０…基板ケース
３５０…かしめ記録紙
５５０…封印シール
７５０…型式シール７５０
３５５ａ，５５０ａ…ＱＲコード（登録商標）（第１種のＱＲコード（登録商標））
７５０ｃ…ＱＲコード（登録商標）（第２種のＱＲコード（登録商標））
【要約】
【課題】制御基板を収容する基板ケースの外部から視認可能であるコードが複数存在する場合に、不正行為者が一部のコードから情報の不正取得を困難にする。
【解決手段】ＱＲコード（登録商標）３５５ａ，５５０ａは、背景の色が白で前景の色が黒であり、ＱＲコード（登録商標）７５０ｃは背景の色が黒で前景の色が白であり、ＱＲコード（登録商標）３５５ａ，５５０ａは所定のデコード処理を行うことにより所定の情報の認識が可能になっており、ＱＲコード（登録商標）７５０ｃは所定のデコード処理を行っても特定の情報の認識が可能にならず、所定のデコード処理と特定のデコード処理とを行うことにより特定の情報の認識が可能になる。
【選択図】図５【図１】
0006833234.tif 000002
【図２】
0006833234.tif 000003
【図３】
0006833234.tif 000004
【図４】
0006833234.tif 000005
【図５】
0006833234.tif 000006
【図６】
0006833234.tif 000007
【図７】
0006833234.tif 000008
【図８】
0006833234.tif 000009
【図９】
0006833234.tif 000010
【図１０】
0006833234.tif 000011
【図１１】
0006833234.tif 000012
【図１２】
0006833234.tif 000013
【図１３】
0006833234.tif 000014
【図１４】
0006833234.tif 000015